【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
複数の入力部（３１、３２、３３）から入力されるアナログ信号をデジタル信号に変換するアナログ−デジタル変換装置であって、
前記複数の入力部と信号線（４１、４２、４３）を介して接続され、前記複数の入力部からそれぞれアナログ信号である外部電圧（Ｖ１、Ｖ２、Ｖ３）が入力されると共に、複数の前記外部電圧から１つの前記外部電圧を選択して出力する切替部（１１）と、
前記切替部から出力される前記外部電圧に応じた電圧を保持するサンプルホールド回路（１２）と、
前記サンプルホールド回路で保持された電圧に基づいてアナログ−デジタル変換する変換部（１３）と、
前記切替部にて選択される前記外部電圧を決定すると共に、前記信号線に断線が発生しているか否かの断線判定を実行する制御部（１５）と、を備え、
前記切替部と接続され、前記切替部に所定の基準電圧（Ｖｒｅｆ１、Ｖｒｅｆ２、Ｖｒｅｆ３）を入力する基準電圧入力部（１４）を有し、
前記制御部は、前記断線判定では、当該断線判定にて判定される前記信号線を通じて入力される前記外部電圧を前記切替部に選択させる前に、前記外部電圧と異なる値とされた前記基準電圧を前記切替部に選択させ、前記外部電圧を選択させた後、前記サンプルホールド回路で保持される前記基準電圧と前記外部電圧との電圧の変化の有無に基づき、前記電圧の変化が所定範囲内である場合に前記信号線に断線が発生していると判定し、
前記切替部には、前記複数の入力部の１つである第１入力部（３１）から第１所定範囲内の第１外部電圧（Ｖ１）が入力されると共に、前記複数の入力部の１つである第２入力部（３２）から第２所定範囲内の第２外部電圧（Ｖ２）が入力され、さらに、前記基準電圧入力部から前記第１所定範囲内の値と異なる値とされた第１基準電圧（Ｖｒｅｆ１）、および前記第２所定範囲と異なる値であって、前記第１基準電圧と異なる値とされた第２基準電圧（Ｖｒｅｆ２）が入力され、
さらに、前記制御部は、前記断線判定では、
前記切替部にて、前記第１外部電圧が選択される前に前記第１基準電圧が選択されるようにし、前記第１外部電圧を選択させた後、前記サンプルホールド回路で保持される前記第１基準電圧と前記第１外部電圧との電圧の変化の有無に基づき、当該電圧の変化が所定範囲内である場合に前記第１入力部と前記切替部との間の前記信号線に断線が発生していると判定する第１断線判定と、
前記切替部にて、前記第２外部電圧が選択される前に前記第２基準電圧が選択されるようにし、前記第２外部電圧を選択させた後、前記サンプルホールド回路で保持される前記第２基準電圧と前記第２外部電圧との電圧の変化の有無に基づき、当該電圧の変化が所定範囲内である場合に前記第２入力部と前記切替部との間の前記信号線に断線が発生していると判定する第２断線判定と、を行うアナログ−デジタル変換装置。
【請求項２】
前記切替部には、前記複数の入力部の１つである第３入力部（３３）から第１電圧または第２電圧である第３外部電圧（Ｖ３）が入力され、さらに、前記基準電圧入力部から前記第１電圧と前記第２電圧との間の値とされた第３基準電圧（Ｖｒｅｆ３）が入力され、
前記制御部は、前記断線判定では、
前記切替部にて、前記第３外部電圧が選択される前に前記第３基準電圧が選択されるようにし、前記第３外部電圧を選択させた後、前記サンプルホールド回路で保持される前記第３基準電圧と前記第３外部電圧との電圧の変化の有無に基づき、当該電圧の変化が所定範囲内である場合に前記第３入力部と前記切替部との間の前記信号線に断線が発生していると判定する第３断線判定を行う請求項１に記載のアナログ−デジタル変換装置。
【請求項３】
前記第１基準電圧は、前記第２所定範囲内に含まれ、
前記第２基準電圧は、前記第１所定範囲内に含まれており、
前記制御部は、前記切替部にて、前記第１基準電圧と前記第２基準電圧とが連続して選択されるようにし、前記サンプルホールド回路で保持される前記第１基準電圧と前記第２基準電圧との電圧の変化の有無に基づき、当該電圧の変化が所定範囲内である場合に前記基準電圧入力部に異常が発生していると判定する異常判定を実行する請求項１または２に記載のアナログ−デジタル変換装置。
【請求項４】
前記第１基準電圧は、前記第１所定範囲外の値であり、
前記第２基準電圧は、前記第２所定範囲外の値であり、
前記制御部は、前記切替部にて、前記第１基準電圧または前記第２基準電圧が選択される前に、前記第１外部電圧または前記第２外部電圧が選択されるようにし、前記第１基準電圧または前記第２基準電圧を選択させた後、前記サンプルホールド回路で保持される前記第１外部電圧または前記第２外部電圧と前記第１基準電圧または前記第２基準電圧との電圧の変化の有無に基づき、当該電圧の変化が所定範囲内である場合に前記基準電圧入力部に異常が発生していると判定する異常判定を実行する請求項１または２に記載のアナログ−デジタル変換装置。
【請求項５】
前記変換部は、変換用基準電圧と所定電圧との間の範囲の電圧を量子化可能に構成され、
前記基準電圧入力部は、前記変換部に接続され、前記変換用基準電圧を前記変換部に印加する請求項１ないし４のいずれか１つに記載のアナログ−デジタル変換装置。
【請求項６】
複数の入力部（３１、３２、３３）から入力されるアナログ信号をデジタル信号に変換するアナログ−デジタル変換装置であって、
前記複数の入力部と信号線（４１、４２、４３）を介して接続され、前記複数の入力部からそれぞれアナログ信号である外部電圧（Ｖ１、Ｖ２、Ｖ３）が入力されると共に、複数の前記外部電圧から１つの前記外部電圧を選択して出力する切替部（１１）と、
前記切替部から出力される前記外部電圧に応じた電圧を保持するサンプルホールド回路（１２）と、
前記サンプルホールド回路で保持された電圧に基づいてアナログ−デジタル変換する変換部（１３）と、
前記切替部にて選択される前記外部電圧を決定すると共に、前記信号線に断線が発生しているか否かの断線判定を実行する制御部（１５）と、を備え、
前記切替部と接続され、前記切替部に所定の基準電圧（Ｖｒｅｆ１、Ｖｒｅｆ２、Ｖｒｅｆ３）を入力する基準電圧入力部（１４）を有し、
前記制御部は、前記断線判定では、当該断線判定にて判定される前記信号線を通じて入力される前記外部電圧を前記切替部に選択させる前に、前記外部電圧と異なる値とされた前記基準電圧を前記切替部に選択させ、前記外部電圧を選択させた後、前記サンプルホールド回路で保持される前記基準電圧と前記外部電圧との電圧の変化の有無に基づき、前記電圧の変化が所定範囲内である場合に前記信号線に断線が発生していると判定し、
前記変換部は、変換用基準電圧と所定電圧との間の範囲の電圧を量子化可能に構成され、
前記基準電圧入力部は、前記変換部に接続され、前記変換用基準電圧を前記変換部に印加するアナログ−デジタル変換装置。
【請求項７】
前記制御部は、前記基準電圧入力部で生成される前記基準電圧を前記変換部にてアナログ−デジタル変換させた際、変換されたデジタル信号に基づいて前記変換部の異常判定を実行する請求項１ないし６のいずれか１つに記載のアナログ−デジタル変換装置。
【請求項８】
複数の入力部（３１、３２、３３）から入力されるアナログ信号をデジタル信号に変換するアナログ−デジタル変換装置であって、
前記複数の入力部と信号線（４１、４２、４３）を介して接続され、前記複数の入力部からそれぞれアナログ信号である外部電圧（Ｖ１、Ｖ２、Ｖ３）が入力されると共に、複数の前記外部電圧から１つの前記外部電圧を選択して出力する切替部（１１）と、
前記切替部から出力される前記外部電圧に応じた電圧を保持するサンプルホールド回路（１２）と、
前記サンプルホールド回路で保持された電圧に基づいてアナログ−デジタル変換する変換部（１３）と、
前記切替部にて選択される前記外部電圧を決定すると共に、前記信号線に断線が発生しているか否かの断線判定を実行する制御部（１５）と、を備え、
前記切替部と接続され、前記切替部に所定の基準電圧（Ｖｒｅｆ１、Ｖｒｅｆ２、Ｖｒｅｆ３）を入力する基準電圧入力部（１４）を有し、
前記制御部は、前記断線判定では、当該断線判定にて判定される前記信号線を通じて入力される前記外部電圧を前記切替部に選択させる前に、前記外部電圧と異なる値とされた前記基準電圧を前記切替部に選択させ、前記外部電圧を選択させた後、前記サンプルホールド回路で保持される前記基準電圧と前記外部電圧との電圧の変化の有無に基づき、前記電圧の変化が所定範囲内である場合に前記信号線に断線が発生していると判定し、
前記制御部は、前記基準電圧入力部で生成される前記基準電圧を前記変換部にてアナログ−デジタル変換させた際、変換されたデジタル信号に基づいて前記変換部の異常判定を実行するアナログ−デジタル変換装置。
【手続補正２】
【補正対象書類名】明細書
【補正対象項目名】０００７
【補正方法】変更
【補正の内容】
【０００７】
上記目的を達成するための請求項１、６、８では、複数の入力部（３１、３２、３３）から入力されるアナログ信号をデジタル信号に変換するＡＤ変換装置であって、複数の入力部と信号線（４１、４２、４３）を介して接続され、複数の入力部からそれぞれアナログ信号である外部電圧（Ｖ１、Ｖ２、Ｖ３）が入力されると共に、複数の外部電圧から１つの外部電圧を選択して出力する切替部（１１）と、切替部から出力される外部電圧に応じた電圧を保持するサンプルホールド回路（１２）と、サンプルホールド回路で保持された電圧に基づいてＡＤ変換する変換部（１３）と、切替部にて選択される外部電圧を決定すると共に、信号線に断線が発生しているか否かの断線判定を実行する制御部（１５）と、を備え、切替部と接続され、切替部に所定の基準電圧（Ｖｒｅｆ１、Ｖｒｅｆ２、Ｖｒｅｆ３）を入力する基準電圧入力部（１４）を有し、制御部は、断線判定では、当該断線判定にて判定される信号線を通じて入力される外部電圧を切替部に選択させる前に、外部電圧と異なる値とされた基準電圧を切替部に選択させ、外部電圧を選択させた後、サンプルホールド回路で保持される基準電圧と外部電圧との電圧の変化の有無に基づき、電圧の変化が所定範囲内である場合に信号線に断線が発生していると判定するようにしている。
そして、請求項１では、切替部には、複数の入力部の１つである第１入力部（３１）から第１所定範囲内の第１外部電圧（Ｖ１）が入力されると共に、複数の入力部の１つである第２入力部（３２）から第２所定範囲内の第２外部電圧（Ｖ２）が入力され、さらに、制御部は、断線判定では、切替部にて、第１外部電圧が選択される前に第１基準電圧が選択されるようにし、第１外部電圧を選択させた後、サンプルホールド回路で保持される第１基準電圧と第１外部電圧との電圧の変化の有無に基づき、当該電圧の変化が所定範囲内である場合に第１入力部と切替部との間の信号線に断線が発生していると判定する第１断線判定と、切替部にて、第２外部電圧が選択される前に第２基準電圧が選択されるようにし、第２外部電圧を選択させた後、サンプルホールド回路で保持される第２基準電圧と第２外部電圧との電圧の変化の有無に基づき、当該電圧の変化が所定範囲内である場合に第２入力部と切替部との間の信号線に断線が発生していると判定する第２断線判定と、を行う。
請求項６では、変換部は、変換用基準電圧と所定電圧との間の範囲の電圧を量子化可能に構成され、基準電圧入力部は、変換部に接続され、変換用基準電圧を変換部に印加する。
請求項８では、制御部は、基準電圧入力部で生成される基準電圧を変換部にてアナログ−デジタル変換させた際、変換されたデジタル信号に基づいて変換部の異常判定を実行する。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】